(57)【要約】【課題】  本発明はメッセージカード作成後に押し花が損傷することを防止するとともに、使用された押し花を再使用可能なメッセージカードを得るにある。【解決手段】  カード状の台紙と、該台紙の表面に設けられたメッセージ記載部と、前記台紙の裏面に記載された花言葉と、前記台紙と略同形状で、前記台紙の裏面を覆うように、外周が前記台紙の裏面と接着されたカバーシートと、該カバーシートと前記台紙の裏面との間に介装された押し花とで構成され、前記カバーシートは、カバーシート越しに前記花言葉および介装された押し花が視認できる透過性を有するとともに、少なくとも押し花と接する面は、その材質自体又は滑り止め物質あるいは摩擦力を有する模様のいずれか１つにより押し花を所定の位置に保持できる摩擦力を有することを特徴とする。【選択図】  図１
2016168706.tif 000002
【特許請求の範囲】
【請求項１】
カード状の台紙と、該台紙の表面に設けられたメッセージ記載部と、前記台紙の裏面に記載された花言葉と、前記台紙と略同形状で、前記台紙の裏面を覆うように、外周が前記台紙の裏面と接着されたカバーシートと、該カバーシートと前記台紙の裏面との間に介装された押し花とで構成され、前記カバーシートは、カバーシート越しに前記花言葉および介装された押し花が視認できる透過性を有するとともに、少なくとも押し花と接する面は、その材質自体又は滑り止め物質あるいは摩擦力を有する模様のいずれか１つにより押し花を所定の位置に保持できる摩擦力を有することを特徴とするメッセージカード。
【請求項２】
前記カバーシートは和紙であることを特徴とする請求項１記載のメッセージカード。
【発明の詳細な説明】
【技術分野】
【０００１】
本発明は押し花を配置したメッセージカードに関する。
【背景技術】
【０００２】
従来のメッセージカードは、単にメッセージカードの表面又は裏面に押し花を接着したものが知られている（特許文献１参照）。
【０００３】
しかしながら、このようなメッセージカードは、押し花が露出した状態となっているので、メッセージカード作成後に押し花が損傷してしまうという欠点があった。
【０００４】
また、押し花を台材に接着しているため、使用した押し花を再使用することができないという欠点があった。
【先行技術文献】
【特許文献】
【０００５】
【特許文献１】登録実用新案第３０１７４４７号公報
【発明の概要】
【発明が解決しようとする課題】
【０００６】
本発明は以上のような従来の欠点に鑑み、メッセージカード作成後に押し花が損傷することを防止するとともに、使用された押し花を再使用可能なメッセージカードを提供することを目的としている。
【０００７】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００８】
上記目的を達成するために、本発明はカード状の台紙と、該台紙の表面に設けられたメッセージ記載部と、前記台紙の裏面に記載された花言葉と、前記台紙と略同形状で、前記台紙の裏面を覆うように、外周が前記台紙の裏面と接着されたカバーシートと、該カバーシートと前記台紙の裏面との間に介装された押し花とで構成され、前記カバーシートは、カバーシート越しに前記花言葉および介装された押し花が視認できる透過性を有するとともに、少なくとも押し花と接する面は、その材質自体又は滑り止め物質あるいは摩擦力を有する模様のいずれか１つにより押し花を所定の位置に保持できる摩擦力を有することを特徴とする。
【発明の効果】
【０００９】
以上の説明から明らかなように、本発明にあっては次に列挙する効果が得られる。
（１）請求項１の発明においては、押し花の上にカバーシートを設けているので、押し花表面をカバーシートで保護でき、メッセージカード作成後に押し花が損傷することを防止することができる。
（２）カバーシートの摩擦力により、カバーシートと前記台紙の裏面との間の所定の位置から動くことなく押し花を介装することができる。
（３）押し花は接着ではなくカバーシートの摩擦力により動かないように改装されているだけなので、使用済みのメッセージカードから押し花を取り出して、他の物品の装飾等に用いる（再使用する）ことができる。
（４）請求項２の発明においても前記（１）〜（３）と同様な効果が得られるとともに、高級感や厳かな印象を与えることができる。
【図面の簡単な説明】
【００１０】
【図１】本発明を実施するための第１の形態の正面図。
【図２】本発明を実施するための第１の形態の背面図。
【図３】本発明を実施するための第１の形態の分解斜視図の説明図。
【図４】本発明を実施するための第１の形態の押し花を取り出す状態の説明図。
【図５】本発明を実施するための第２の形態の正面図。
【図６】本発明を実施するための第２の形態の背面図。
【図７】本発明を実施するための第２の形態の分解斜視図の説明図。
【発明を実施するための形態】
【００１１】
以下、図面に示す本発明を実施するための形態により、本発明を詳細に説明する。
【００１２】
図１ないし図４に示す本発明を実施するための第１の形態において、１は押し花２を介装した本発明のメッセージカードで、このメッセージカード１はカード状の台紙３と、該台紙３の表面３ａに設けられたメッセージ記載部４と、前記台紙３の裏面３ｂに記載された花言葉５と、前記台紙３と略同形状で、前記台紙の裏面３ｂを覆うように、外周が前記台紙３の裏面３ｂと接着されたカバーシート６と、該カバーシート６と前記台紙３の裏面３ｂとの間に介装された単数又は複数の押し花２とで構成されており、前記カバーシート６は、カバーシート越しに前記花言葉５および押し花２が視認できる透過性を有するとともに、その材質自体又は滑り止め物質あるいは摩擦力を有する模様（例えばローレット模様）により、押し花２と接する面は押し花２を所定の位置に保持できる摩擦力を有している。
【００１３】
前記台紙３は本実施の形態においては、方形状の厚紙で、表面３ａにはメッセージ記載部４とメッセージを記載した人の氏名を記載する氏名記載部７が設けられている。
【００１４】
また、台紙の裏面３ｂには、介装される押し花２に関する花言葉５が記載されるとともに、押し花２を配置するスペースが設けられている。押し花２は台紙３の裏面３ｂに接着等されることなく、カバーシート６の摩擦力により、台紙３の裏面３ｂの所定の位置から動くことなく保持されている。
【００１５】
なお、前記花言葉５は、介装される押し花２の花言葉が記載されているが、数種類の押し花２をランダムに介装する場合には、全種類の花言葉５を記載しておいてもよい。
【００１６】
前記カバーシート６は、前記台紙３と略同形状で、介装された押し花および記載された花言葉５が視認できる程度の透過性を有している薄いシートで、外周のみに台紙３との接着部８が形成されている。なお、本実施の形態においては、カバーシート６として和紙を使用している。和紙の表面はその素材自体により表面粗さが大きいため、押し花２を滑止出来る程度の摩擦力を有している。
【００１７】
なお、和紙のように表面粗さの値が大きい材質ではなく、つるつるした質感のシートを用いる場合には、押し花２と接する面に滑り止め材等の滑り止め物質を塗布することにより押し花２を所定の位置に保持するための摩擦力を付与する。
このように構成されるメッセージカード１は、例えば葬儀において献花の代わりに用いられる。以下、葬儀で本発明のメッセージカード１を使用する場合の一例を記載する。
【００１８】
葬儀の受付で記帳した際に、本発明のメッセージカード１を受け取り、故人や遺族に対するメッセージをメッセージ記載部４に記載し、自分の氏名を氏名記載部７に記載し、メッセージカード１を祭壇等に供える。
【００１９】
葬儀終了後、遺族はメッセージカード１に記載された弔問客からのメッセージを確認できるとともに、台紙３の裏面３ｂに接着されたカバーシート６のみを除去し、介装された押し花２を取り出して再使用することができる。なお、カバーシート６は全体を剥がして除去してもよいし、カッター等でカバーシート６の一部を切り取り押し花２を取り出してもよい。
【００２０】
再使用の方法としては、取り出した押し花を故人の遺影等に飾り付ける、会葬礼状にこの押し花２を付して弔問客に送付する等が考えられる。
【００２１】
このように押し花２を再使用でき、メッセージが記載された台紙３自体も保管可能であるので、押し花２および台紙３をより有効活用することができるものである。
なお、本実施の形態においては、押し花２を複数介装しているが、押し花を１つのみ介装してもよい。
［発明を実施するための異なる形態］
次に、図５ないし図７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２２】
図５ないし図７に示す本発明を実施するための第２の形態において、前記本発明を実施するための第１の形態と主に異なる点は、透明な樹脂製であって、押し花を接する面に押し花がずれないように、微小な凹凸（図示せず）を形成して押し花を滑止できる摩擦力を備えたカバーシート６Ａを用いたメッセージカード１Ａにしても、前記本発明を実施するための第１の形態と同様な作用効果が得られる。
【００２３】
なお、素材として押し花を滑止できる程度の摩擦力を有するシートであれば、微小な凹凸を形成しなくてもよい。
【００２４】
本発明の実施の形態において、本発明の使用方法の一例として、葬儀において献花の代わりに用いる場合について説明したが、本発明のメッセージカードはこのような用途に限られず、祝い事や季節のあいさつ等、介装する押し花や花言葉等を変更することにより、様々な状況での使用が可能である。
【産業上の利用可能性】
【００２５】
本発明はメッセージカードを製造する産業で利用される。
【符号の説明】
【００２６】
１、１Ａ：メッセージカード、      ２：押し花、
３：台紙、                        ４：メッセージ記載部、
５：花言葉、                        ６、６Ａ：カバーシート、
７：氏名記載部、                  ８：接着部。
【図１】
2016168706.tif 000003
【図２】
2016168706.tif 000004
【図３】
2016168706.tif 000005
【図４】
2016168706.tif 000006
【図５】
2016168706.tif 000007
【図６】
2016168706.tif 000008
【図７】
2016168706.tif 000009